(57)【要約】【課題】ゴミや埃が侵入し難く、長寿命化を図る。【解決手段】面操作式の操作スイッチを複数直線状に並べて構成した操作入力部２１と；複数の操作スイッチに対する操作入力を検出して少なくとも操作位置及び操作方向を求める操作判定部２８と；操作判定部２８により求められた操作位置及び操作方向に応じて調光レベルの低下或いは上昇を制御する調光レベル信号を作成して出力する調光レベル送出部２９と；を具備する。【選択図】図１
2008103126.tif 000002
【特許請求の範囲】
【請求項１】
面操作式の操作スイッチを複数直線状に並べて構成した操作入力部と；
複数の操作スイッチに対する操作入力を検出して少なくとも操作位置及び操作方向を求める操作判定部と；
操作判定部により求められた操作位置及び操作方向に応じて調光レベルの低下或いは上昇を制御した調光レベル信号を作成して出力する調光レベル送出部と；
を具備することを特徴とする調光操作器。
【請求項２】
操作判定部は、一連の操作入力がなされた操作スイッチの数を求めるものであり；
調光レベル送出部は、操作判定部により求められた操作スイッチの数に応じて、調光レベルの低下幅或いは上昇幅を決定し、決定された幅に基づいて現在の調光レベルに変更を加えて調光レベル信号を作成して出力することを特徴とする請求項１に記載の調光操作器。
【請求項３】
調光レベル送出部は、操作入力部における操作が調光レベル低下或いは調光レベル上昇のいずれに対応するかを示す調光方向情報を保持し、操作判定部から同一操作位置の操作情報を得る毎に保持されている調光方向情報が示す方向へ調光レベルをステップ変更制御することを特徴とする請求項１または２に記載の調光操作器。
【請求項４】
請求項１乃至３のいずれか１項に記載の調光操作器と；
調光制御可能な照明負荷と；
調光操作器から調光レベル信号を受けて対応する照明負荷の調光を行う調光器と；
を具備することを特徴とする調光システム。
【発明の詳細な説明】
【技術分野】
【０００１】
この発明は、感覚的な操作により調光制御を行うことの可能な調光操作器及びそれを用いた調光システムに関するものである。
【背景技術】
【０００２】
従来、スタジオや劇場等の照明に対し調光制御を行う場合には、調光卓の操作面に設けられたフェーダ（可変抵抗）やロータリーエンコーダなどを用いた操作を行っている。例えば、特許文献１においては、フェーダのレベル電圧をサンプリングして照度データを作成し、前回と今回の照度データの差分を求めて差分データを調光制御盤へ送って調光制御を行うものが示されている。
【特許文献１】特開平８−２０３６７５号公報（００１６欄等）
【０００３】
しかしながら、フェーダ（可変抵抗）やロータリーエンコーダなどはレバーや釦が突出し、小型な可搬型とするには不向きである。また、レバーや釦と調光卓の筐体の間には、隙間が存在し、ゴミや埃が侵入しやすいという問題もある。更にまた、機構部品であるため、寿命が短く、定期的な交換が必要となる問題もある。
【発明の開示】
【発明が解決しようとする課題】
【０００４】
本発明は上記のような従来の調光操作器が有している小型な可搬型とするには不向きであり、ゴミや埃が侵入しやすいという問題点を解決せんとしてなされたもので、その目的は、小型な可搬型の構成とすることが可能であり、ゴミや埃が侵入し難く、長寿命化を図ることの可能な調光操作器を提供するのであり、また、この調光操作器を用いた調光システムを提供することを目的とする。
【課題を解決するための手段】
【０００５】
本発明に係る調光操作器は、面操作式の操作スイッチを複数直線状に並べて構成した操作入力部と；複数の操作スイッチに対する操作入力を検出して少なくとも操作位置及び操作方向を求める操作判定部と；操作判定部により求められた操作位置及び操作方向に応じて調光レベルの低下或いは上昇を制御した調光レベル信号を作成して出力する調光レベル送出部と；を具備することを特徴とする。
【０００６】
面操作式の操作スイッチとしては静電容量方式のスイッチが好適であるが、抵抗式や光式等各種の方式のスイッチを許容する。また、面操作式には、指などにより操作面に触れるタッチ操作が必要なスイッチの他、指などを近接することで静電容量等を変化させるスイッチを含む。スイッチの下側などにはＬＣＤなどの表示部を設けても良い。調光レベル信号は、ＤＭＸ５１２によるＤＭＸ信号を許容する。調光操作器は、大型の調光操作卓を含む概念である。
【０００７】
本発明に係る調光操作器では、操作判定部は、一連の操作入力がなされた操作スイッチの数を求めるものであり；調光レベル送出部は、操作判定部により求められた操作スイッチの数に応じて、調光レベルの低下幅或いは上昇幅を決定し、決定された幅に基づいて現在の調光レベルに変更を加えて調光レベル信号を作成して出力することを特徴とする。
【０００８】
本発明に係る調光操作器では、調光レベル送出部は、操作入力部における操作が調光レベル低下或いは調光レベル上昇のいずれに対応するかを示す調光方向情報を保持し、操作判定部から同一操作位置の操作情報を得る毎に保持されている調光方向情報が示す方向へ調光レベルをステップ変更制御することを特徴とする。
【０００９】
本発明に係る調光システムは、請求項１乃至３のいずれか１項に記載の調光操作器と；調光制御可能な照明負荷と；調光操作器から調光レベル信号を受けて対応する照明負荷の調光を行う調光器と；を具備することを特徴とする。
【発明の効果】
【００１０】
本発明に係る調光操作器は、面操作式の操作スイッチを複数直線状に並べて構成した操作入力部を有するので、レバーや釦などが操作面から突出せず、小型な可搬型に好適であると共に、操作面が樹脂コーティングなどにより覆われているので、ゴミや埃が侵入し難く、長寿命化を図ることが可能である。また、複数の操作スイッチに対する操作入力を検出して少なくとも操作位置及び操作方向を求め、求められた操作位置及び操作方向に応じて調光レベルの低下或いは上昇を制御した調光レベル信号を作成して出力する構成を採用しているので、操作入力部に対し指などで触れるという感覚的な操作により調光が可能である。
【００１１】
本発明に係る調光操作器は、操作判定部が、一連の操作入力がなされた操作スイッチの数を求め、調光レベル送出部は、操作判定部により求められた操作スイッチの数に応じて、調光レベルの低下幅或いは上昇幅を決定し、決定された幅に基づいて現在の調光レベルに変更を加えて調光レベル信号を作成するので、一連の操作における操作スイッチの数を変えることにより調光レベルの低下幅或いは上昇幅を変えることができ、感覚的な操作により調光が可能である。
【００１２】
本発明に係る調光操作器は、調光レベル送出部が、操作入力部における操作が調光レベル低下或いは調光レベル上昇のいずれに対応するかを示す調光方向情報を保持し、操作判定部から同一操作位置の操作情報を得る毎に保持されている調光方向情報が示す方向へ調光レベルをステップ変更制御するので、調光レベルの低下幅或いは上昇幅を決定する操作を行った後に、同一操作位置の操作により調光レベルをステップ変更でき、より精緻な調光レベル制御が可能なものである。
【００１３】
本発明に係る調光システムは、請求項１乃至３のいずれか１項に記載の調光操作器を備え、調光操作器から調光レベル信号を受けて対応する照明負荷の調光を行うので、小型な可搬型に好適であると共にゴミや埃が侵入し難く、長寿命化を図ることが可能な調光操作器を用いて、感覚的な操作により調光が可能である。
【発明を実施するための最良の形態】
【００１４】
以下添付図面を参照して、本発明に係る調光操作器及びそれを用いた調光システムの実施例を説明する。各図において、同一の構成要素には、同一の符号を付して重複する説明を省略する。図１に、実施例に係る調光操作器１０を構成する調光操作部２０を示す。調光操作部２０には、操作入力部２１、操作判定部２８、調光レベル送出部２９が備えられている。
【００１５】
操作入力部２１には、プリント配線板２３上に設けられた面操作式である静電容量スイッチの電極２２−１〜２２−４が備えられている。スイッチの数が４個であることは、一例に過ぎない。プリント配線板２３には検出回路２４が備えられ、電極２２−１〜２２−４の出力は検出回路２４に送出されている。検出回路２４は、電極２２−１〜２２−４の出力を得て静電容量の変化に基づきオン・オフを検出して、検出出力を信号線２５−１〜２５−４を介して送出する。
【００１６】
信号線２５−１〜２５−４は操作判定部２８に接続されており、操作判定部２８は、信号線２５−１〜２５−４を介して到来する検出信号に基づき、少なくとも操作位置及び操作方向を求める。ここに、電極２２−１〜２２−４に対応するスイッチをＳＷ１〜ＳＷ４と表わすことにすると、操作位置情報とはスイッチＳＷ１〜ＳＷ４のいずれが操作されたかを示す情報であり、操作方向情報とは操作がスイッチＳＷ１、スイッチＳＷ２、・・・の順でなされたか、操作がスイッチＳＷ４、スイッチＳＷ３、・・・の順でなされたかを示す情報である。
【００１７】
本実施例では操作判定部２８は、上記以外に一連の入力操作がなされたスイッチの数情報を求める。即ち、操作判定部２８は、所定周期のサンプリングよりスイッチＳＷ１、ＳＷ２、ＳＷ３、ＳＷ４の操作を検出し、二回の操作検出が所定時間内にあれば一連の操作とし、二回の操作検出が所定時間を超える場合に不連続の操作として処理する。操作判定部２８の出力は調光レベル送出部２９へ与えられている。調光レベル送出部２９は、操作判定部２８により求められた操作位置及び操作方向に応じて調光レベルの低下或いは上昇を制御し、調光レベル信号を作成して出力する。調光レベル送出部２９は、現在の（最新の）調光レベル情報を保持し、更新する。
【００１８】
また調光レベル送出部２９は、操作判定部２８から一連の入力操作がなされたスイッチの数情報を得た場合には、操作スイッチの数に応じて、調光レベルの低下幅或いは上昇幅を決定し、決定された幅に基づいて現在の調光レベルに変更を加えて調光レベル信号を作成して出力する。
【００１９】
調光レベル送出部２９は、例えば、スイッチＳＷ１、ＳＷ２と一連操作がなされたことを示す情報を得たときには、当該情報に含まれる操作位置及び操作方向から調光レベルを加算するものと決定し、スイッチ数が２であることから、上昇幅を例えば１０％とする。また、スイッチＳＷ１、ＳＷ２、ＳＷ３と一連操作がなされたことを示す情報を得たときには、当該情報に含まれる操作位置及び操作方向から調光レベルを加算するものと決定し、スイッチ数が３であることから、上昇幅を例えば２０％とする。更に、スイッチＳＷ１、ＳＷ２、ＳＷ３、ＳＷ４と一連操作がなされたことを示す情報を得たときには、当該情報に含まれる操作位置及び操作方向から調光レベルを加算するものと決定し、スイッチ数が４であることから、上昇幅を例えば３０％とする。このように操作されたスイッチの数が多いほど上昇幅を大きくする。
【００２０】
一方、スイッチＳＷ４、ＳＷ３と一連操作がなされたことを示す情報を得たときには、当該情報に含まれる操作位置及び操作方向から調光レベルを減算するものと決定し、スイッチ数が２であることから、低下幅を現状から例えば１０％とする。また、スイッチＳＷ４、ＳＷ３、ＳＷ２と一連操作がなされたことを示す情報を得たときには、当該情報に含まれる操作位置及び操作方向から調光レベルを減算するものと決定し、スイッチ数が３であることから、低下幅を例えば２０％とする。更に、スイッチＳＷ４、ＳＷ３、ＳＷ２、ＳＷ１と一連操作がなされたことを示す情報を得たときには、当該情報に含まれる操作位置及び操作方向から調光レベルを減算するものと決定し、スイッチ数が４であることから、低下幅を例えば３０％とする。このように操作されたスイッチの数が多いほど低下幅を大きくする。
【００２１】
また、操作判定部２８は、二回の操作検出が所定時間を超える場合に不連続の操作と判定し、更に次の操作検出までに所定時間を超える場合に、当該操作位置の単発操作情報を調光レベル送出部２９へ送出する。調光レベル送出部２９は、操作入力部２１における操作が調光レベル低下或いは調光レベル上昇のいずれに対応するかを示す調光方向情報２７（図１）を保持しており、操作判定部２８から各操作位置の単発操作情報を得る毎に、保持されている調光方向情報２７が示す方向へ調光レベルをステップ変更制御するものである。
【００２２】
例えば、スイッチＳＷ１、ＳＷ２と一連操作がなされ、調光方向情報２７として、調光レベルを上昇させることが保持された後に、一個のスイッチＳＷ１（ＳＷ２〜ＳＷ４のいずれか１個でも良い）が操作され、次の操作入力まで所定時間を超えると、操作判定部２８はスイッチＳＷ１（ＳＷ２〜ＳＷ４のいずれか１個でも良い）に関する単発操作情報を調光レベル送出部２９へ送出する。単発操作情報を得る毎に、調光レベル送出部２９は、調光レベルを例えば１階調づつ上昇させて送出する。また、調光方向情報２７として、調光レベルを低下させることが保持された後に、スイッチＳＷ１〜ＳＷ４のいずれか１個が操作されたことに基づく単発操作情報を得る毎に、調光レベル送出部２９は、調光レベルを例えば１階調づつ低下させて送出する。なお、調光レベルは例えば２５６階調により制御されるものとする。
【００２３】
調光操作器１０は図２に示されるように、上記のように構成された調光操作部２０を例えば複数（２０−１〜２０−ｎ）備える。調光操作部２０−１〜２０−ｎの出力は調光演算装置３０により取り込まれて、調光操作部２０−１〜２０−ｎに対応する照明負荷を調光制御する調光信号であるＤＭＸ信号が作成され、伝送路３１を介して調光盤４０へ送られる。伝送路３１は有線であるか無線であるかを問わない。
【００２４】
調光操作器１０の外観は、図３に示されるような表面パネル１１を備えた偏平な箱型(或いはカード型)をなしており、調光操作部のタッチ領域１２−１〜１２−３が設けられている。タッチ領域１２−１〜１２−３には樹脂コーティングされており、それぞれ図１の電極２２−１〜２２−４が埋設され、指等が近接または接触すると静電容量が変化し、対応する検出回路２４による検出がなされる。
【００２５】
タッチ領域１２−１〜１２−３は半透明或いは透明であり、その下方にはＬＣＤ等により構成される表示部１３（図２）が設けられている。表示部１３には図２に示される制御部１８の制御により、調光レベル送出部２９に保持されている現在の（最新の）調光レベル情報に対応するレベルがバー表示される。タッチ領域１２−１〜１２−３に図３に示すようにそれぞれバー表示がなされる。
【００２６】
調光操作器１０の表面パネル１１には、図２及び図３に示されるように表示部１４と操作キー１５（複数でも良い）が設けられ、例えば、現在の調光レベルを数値として表示部１４に表示させる等の入力を行うことができる。操作キー１５によりどのようなコマンドやデータを入力し、表示部１４にどのような情報を表示させるかに関しては、調光操作器（調光卓）１０の設計により適宜変更し得るものである。
【００２７】
図２は調光システムの構成図を示している。既に述べた通り、調光操作器１０に設けられた調光演算装置３０はＤＭＸ信号により調光レベル信号を送る。ここに、ＤＭＸ信号は、米国劇場技術協会（ＵＳＩＴＴ）が規格した演出分野などに用いられるディジタル信号であり、調光制御用の調光信号の規格として用いられているＤＭＸ５１２を指している。ＤＭＸ５１２は、スタートビットとストップビットに挟まれたそれぞれが８ビットにより構成されるチャネルが５１２チャネル多重化された構成を１フレームとする信号であり、上記５１２チャネルにおける所定の１チャネルが１つの調光器へ調光制御を行う２５６階調（８ビット）の調光信号とされる。１フレームの開始検出は、ブレーク（ＢＲＥＡＫ）とスタートコードを検出することにより行われる。また、各調光盤に含まれている調光器に対応するチャネルは、上記フレームの開始からスタートビットとストップビットに挟まれたチャネルが幾つ到来したかをカウントして検出する。
【００２８】
伝送路３１を介して調光操作器１０と接続される調光盤４０には、複数の調光器４１−１〜４１−ｍが備えられている。調光盤４０の調光器４１−１〜４１−ｍには調光電源ＡＣ１００Ｖが供給されている。調光器４１−１〜４１−ｍには照明負荷４２−１〜４２−ｍが接続されている。調光器４１−１〜４１−ｍは、伝送路３１を介して送られてくるＤＭＸ信号における対応チャネルの調光レベルを取り込み、調光レベルに対応して調光電源ＡＣ１００Ｖの電圧を制御して対応する照明負荷４２−１〜４２−ｍへ与える。これにより、照明負荷４２−１〜４２−ｍの調光制御がなされる。
【００２９】
以上の構成において、調光操作器１０の調光操作部２０−１〜２０−ｎは、例えば、調光器４１−１〜４１−ｍのいずれかと一対一に固定的に対応付けて用いることができる。或いは、例えば操作キー１５により適宜、いずれかの調光盤における複数の調光器のいずれかと調光操作器１０の調光操作部２０−１〜２０−ｎのいずれかを、一対一に対応付けて用いることができる。調光操作部２０−１〜２０−ｎのいずれかと調光器４１−１〜４１−ｍのいずれかを対応付けた対応情報は、調光演算装置３０が備えており、ＤＭＸ信号の所要のチャネルに対し調光操作部２０−１〜２０−ｎのいずれかから送出された調光レベルを配置して送信する。
【００３０】
以上のように構成された調光操作器１０の調光操作部２０は、図４に示されるフローチャートに示されるように動作を行うので、これに基づき動作説明を行う。調光操作器１０が起動されると、検出回路２４が電極２２−１〜２２−４の出力による静電容量の変化に基づき入力がなされたかを検出する（Ｓ１１）。入力がなされたことを検出した場合には、操作判定部２８は二つの操作検出が所定時間以内にあるかに基づいて、操作態様が一連操作か不連続操作かを検出する（Ｓ１２）。
【００３１】
上記ステップＳ１２において一連操作であることが検出されると、不連続カウント値をリセットし（Ｓ１３）、操作判定部２８は二つの操作検出が所定時間以内にあるかに基づいて一連操作が終了したかを検出する（Ｓ１４）。ステップＳ１３において一連操作の終了を検出すると、不連続カウント値に１を加え（Ｓ１５）、操作位置及び操作方向の情報及び操作されたスイッチの数情報特定し、これらの情報を調光レベル送出部２９へ送出する（Ｓ１６）。次に調光レベル送出部２９は、操作方向の情報から調光レベルを上昇させるか低下させるかを決定し、操作スイッチの数に応じて、調光レベルの低下幅或いは上昇幅を決定し、決定された幅に基づいて現在の調光レベルに変更を加えて調光レベル信号を作成して送出する（Ｓ１７）。これにより既述の通り、例えば操作スイッチの数が２、３、４に応じてそれぞれ１０％、２０％、３０％の変化幅（現状からの変化幅）にて、調光レベルが上昇または低下され、所要の調光制御がなされる。
【００３２】
ステップＳ１７に続いて、送出した調光レベルを保持し（Ｓ１８）、ステップＳ１１へ戻って処理を続ける。一方、ステップＳ１２において、不連続操作であることが検出されると、不連続カウント値に１を加え（Ｓ１９）、不連続カウント値が２以上となったかを検出する(Ｓ２０)。不連続カウント値が２でなければ、ステップＳ１１へ戻って処理を続ける。ステップＳ１９において、不連続カウント値が２以上となったことが検出されると、操作判定部２８は前回の操作入力に係る操作スイッチに対応する操作位置の単発操作情報を調光レベル送出部２９へ送る（Ｓ２１）。
【００３３】
このステップＳ２１の処理に応じて、調光レベル送出部２９は調光方向情報２７を参照し、現状の調光レベルに予め定められた階調（例えば、１階調）づつ調光レベルを上昇または低下して更新し、これを送出して（Ｓ２２）、ステップＳ１１へ戻る。このように、本実施例では、一連操作の後に再び一連操作を行う場合も、単発操作となる場合にも、一連操作の場合より長い時間をおいて操作がなされることを検出しており、これにより操作方向や単発操作を誤りなく検出している。なお、本フローチャートでは、同一の操作スイッチが所定時間内に連続操作されると、一連操作として扱われるようになっているが、係る場合には例えば操作位置情報に基づき同一の操作スイッチの連続操作として操作スイッチに対応する操作位置の単発操作情報を調光レベル送出部２９へ送るようにする。これにより、同一の操作スイッチが所定時間内に連続操作された場合にも、現状の調光レベルに予め定められた階調（例えば、１階調）づつ調光レベルを上昇または低下して更新することができる。
【００３４】
斯して本実施例では、操作面が樹脂コーティングなどにより覆われているので、ゴミや埃が侵入し難く、長寿命化を図ることが可能であると共に、擦れるような操作に強い樹脂を表面に設けることで、更に長寿命化及びメンテナンス期間の延長を図ることができるものである。なお、本実施例では静電容量スイッチを用いたが、抵抗式や光式の面操作式のスイッチにより構成しても良い。また、調光操作器は、大型の調光操作卓を含む概念であり、調光卓の構成に本実施例の調光操作器の構成を適用可能である。
【図面の簡単な説明】
【００３５】
【図１】本発明に係る調光操作器の実施例の構成を示すブロック図。
【図２】本発明に係る調光操作器を用いて構成した調光システムのブロック図。
【図３】本発明に係る調光操作器の実施例の外観を示す正面図。
【図４】本発明に係る調光操作器の動作を示すフローチャート。
【符号の説明】
【００３６】
１０  調光操作器
２０、２０−１〜２０−ｎ  調光操作部
２１  入力操作部
２２−１〜２２−４  電極
２３  プリント配線板
２４  検出回路
２８  操作判定部
２９  調光レベル送出部
３０  調光演算装置
４０  調光盤
４１−１〜４１−ｍ  調光器
４２−１〜４２−ｍ  照明負荷
【図１】
2008103126.tif 000003
【図２】
2008103126.tif 000004
【図４】
2008103126.tif 000005
【図３】
2008103126.tif 000006